(57)【要約】 【課題】本体ケース部からの電線が本体ケース部可動することで疲労破断や被覆が破れてショートするのを防止できる首振り機構付電気ストーブを提供する。【解決手段】本体ケース部３を支持する回転軸ユニット１６を、電線が内部を通る中空回転軸２８を有する回転軸取付板２９と、支持部４に固定される角度調整板支え３９と、角度調整板支え３９に仰角用軸２８を中心に仰角方向に回動自在に取り付けられ、回転軸取付板２９を回転自在に取り付けた角度調整板３６から構成し、この角度調整板３６に電線固定手段３３を設けたので、回転軸取付板２９と角度調整板３６に取り付けられた電線固定手段３３が同じ動きをし、それにより電線に疲労破断や電線の被覆が破れてショートするのを防止できる。【選択図】図７
2010071623.tif 000002
【特許請求の範囲】
【請求項１】
ヒータを備えた本体ケース部と支持部とからなり、前記本体ケース部と支持部とを回転軸ユニットにて接続し、該回転軸ユニットにより本体ケース部を回転自在に支持すると共に本体ケース部の仰角を調整できる電気ストーブに於いて、前記回転軸ユニットは、電線が内部を通る中空回転軸を有し前記本体ケース部の背面略中心に取り付ける回転軸取付板と、支持部に固定される角度調整板支えと、該角度調整板支えに仰角用軸を中心に仰角方向に回動自在に取り付けられると共に、前記回転軸取付板を回転自在に取り付けた角度調整板とを備え、該角度調整板に本体ケース部への電線を束ねる電線固定手段を設けたことを特徴とする電気ストーブ。
【請求項２】
前記角度調整板は、断面コの字状で正面部に前記中空回転軸が貫通する回転軸用孔が形成されると共に前記正面部の一端側に略扇状の角度調整部を形成し、多端側に電線固定手段を固定する電線固定手段取付孔を有し前記角度調整部よりも長い略扇状の電線固定手段取付側角度調整部を形成し、前記電線固定手段の電線を束ねる中空部と中空回転軸の中心軸が同じになるように電線固定手段を電線固定手段取付孔に取り付けたことを特徴とする請求項１記載の電気ストーブ。
【請求項３】
前記電線固定手段は、一端に角度調整板の電線固定手段取付孔に差し込んで角度調整板に取り付けるための差し込み部を形成し、略中央に上下に分かれて中空部を形成し電線を束ねる固定部を設け、他端にねじることで固定部を開放したり閉鎖したりするねじり部からなることを特徴とする請求項２記載の電気ストーブ。
【発明の詳細な説明】
【技術分野】
【０００１】
この発明は、首振り機構付電気ストーブに関するものである。
【背景技術】
【０００２】
従来よりこの種のものに於いは、例えば、ヒータを備えた本体ケースと、この本体ケースを支持するベース部とからなり、本体ケースの首振り軸がベース部の軸受にて回転自在に支持されて、その首振り軸を中心に本体ケースの首振りが行われ、ヒータへの電源供給用電線は、首振り軸の軸回りや軸内部を通す構造となっていた。（例えば、特許文献１参照）
【特許文献１】特開昭６０−２３８６２３号公報
【０００３】
ところでこの電気ストーブでは、本体ケースの首振りに伴って電源供給用電線が回りの部品に接触するため、首振りを繰り返すことで電源供給電線の被覆が摩耗し、いずれは被覆が破れてショートする可能性がある。また、電線に大きな曲げが加わる場合には、素線に応力がかかることで、首振りの繰り返しによって疲労破断を引き起こす等の課題を有していた。
【０００４】
そこで、首振り軸内を通って首振り軸より突出する電源供給用電線の両側が、首振り軸の軸線上にて本体ケース側およびベース部側で保持されており、さらに、電源供給用電線を保持する少なくとも何れか一方の保持部が、支持手段によって首振り軸の軸方向に移動可能に支持され、本体ケースの首振り時に、電源供給用電線が捩じれて軸方向の長さが変動すると、支持手段によって支持された保持部が首振り軸の軸方向に移動することで、電源供給用電線の伸び縮みの変動が吸収される構造のものがあった。（例えば、特許文献２参照）
【特許文献２】特開平０５−８７３５２号公報
【発明の開示】
【発明が解決しようとする課題】
【０００５】
ところでこの従来のものでは、本体ケースのヒータに接続されている本体側電線が、一端を室内の電源コンセント口に接続し他端がベース部内から首振り軸の中空内部を通って首振り軸上に露出する電源供給用電線と接続されているが、この本体側電線と電源供給用電線との接続部分は遊びを持たせておかないと本体ケースの首振り運転や本体ケースの縦横回転、仰角調整により本体ケースが可動することにより、電線に大きな曲げが繰り返し加って疲労破断を引き起たり、電源供給電線の被覆が摩耗して破れてショートしたり、また逆に本体側電線と電源供給用電線との接続部分の遊びが大きすぎると、本体ケースの首振りに伴って本体側電線や電源供給用電線がまわりの部品に接触して、次第に電源供給電線の被覆が損傷してショートしたりする恐れがあった。
【課題を解決するための手段】
【０００６】
この発明はこの点に着目し上記課題を解決する為、特にその構成を請求項１では、ヒータを備えた本体ケース部と支持部とからなり、前記本体ケース部と支持部とを回転軸ユニットにて接続し、該回転軸ユニットにより本体ケース部を回転自在に支持すると共に本体ケース部の仰角を調整できる電気ストーブに於いて、前記回転軸ユニットは、電線が内部を通る中空回転軸を有し前記本体ケース部の背面略中心に取り付ける回転軸取付板と、支持部に固定される角度調整板支えと、該角度調整板支えに仰角用軸を中心に仰角方向に回動自在に取り付けられると共に、前記回転軸取付板を回転自在に取り付けた角度調整板とを備え、該角度調整板に本体ケース部への電線を束ねる電線固定手段を設けたものである。
【０００７】
又請求項２に係る電気ストーブでは、特にその構成を請求項１の電気ストーブにおいて、前記角度調整板は、断面コの字状で正面部に前記中空回転軸が貫通する回転軸用孔が形成されると共に前記正面部の一端側に略扇状の角度調整部を形成し、多端側に電線固定手段を固定する電線固定手段取付孔を有し前記角度調整部よりも長い略扇状の電線固定手段取付側角度調整部を形成し、前記電線固定手段の電線を束ねる中空部と中空回転軸の中心軸が同じになるように電線固定手段を電線固定手段取付孔に取り付けたものである。
【０００８】
又請求項３に係る電気ストーブでは、特にその構成を請求項２の電気ストーブにおいて、前記電線固定手段は、一端に角度調整板の電線固定手段取付孔に差し込んで角度調整板に取り付けるための差し込み部を形成し、略中央に上下に分かれて中空部を形成し電線を束ねる固定部を設け、他端にねじることで固定部を開放したり閉鎖したりするねじり部からなるものである。
【発明の効果】
【０００９】
この発明の請求項１によれば、ヒータを備えた本体ケース部と支持部とからなり、前記本体ケース部と支持部とを回転軸ユニットにて接続し、該回転軸ユニットにより本体ケース部を回転自在に支持すると共に本体ケース部の仰角を調整できる電気ストーブに於いて、前記回転軸ユニットは、電線が内部を通る中空回転軸を有し前記本体ケース部の背面略中心に取り付ける回転軸取付板と、支持部に固定される角度調整板支えと、該角度調整板支えに仰角用軸を中心に仰角方向に回動自在に取り付けられると共に、前記回転軸取付板を回転自在に取り付けた角度調整板とを備え、該角度調整板に本体ケース部への電線を束ねる電線固定手段を設けたので、本体ケース部の首振り運転や本体ケース部の縦横回転、仰角調整により本体ケース部が可動しても、本体ケース部が取り付けられている回転軸取付板とその回転軸取付板を回転及び仰角調整自在に支持している角度調整板とが同じ動きをするため、角度調整板に取り付けられ本体ケース部への電線を束ねる電線固定手段も回転軸取付板と同じ動きをすることで、回転軸取付板の中空回転軸の内部を通る電線に大きな曲げが繰り返し加わって疲労破断を引き起たり電線の被覆が摩耗して破れてショートしたり、また電線がまわりの部品に接触して、次第に電源供給電線の被覆が損傷してショートしたりすることを防止できるものである。
【００１０】
又本発明の請求項２に記載の電気ストーブによれば、請求項１の電気ストーブに於いて、前記角度調整板は、断面コの字状で正面部に前記中空回転軸が貫通する回転軸用孔が形成されると共に前記正面部の一端側に略扇状の角度調整部を形成し、多端側に電線固定手段を固定する電線固定手段取付孔を有し前記角度調整部よりも長い略扇状の電線固定手段取付側角度調整部を形成し、前記電線固定手段の電線を束ねる中空部と中空回転軸の中心軸が同じになるように電線固定手段を電線固定手段取付孔に取り付けたので、本体ケース部が回転しても中空回転軸の向きは変わらないので電線固定手段の電線を束ねる中空部との中心軸は同じであり、叉本体ケース部の仰角を変えても本体ケース部の仰角の変化に連動して角度調整板の電線固定手段取付側角度調整部も動き、それにより本体ケース部の仰角に関わらず常に電線固定手段の電線を束ねる中空部と中空回転軸の中心軸が同じになり、それにより本体ケース部の首振り運転や本体ケース部の縦横回転、仰角調整により本体ケース部が可動しても、本体ケース部が取り付けられている回転軸取付板とその回転軸取付板を回転及び仰角調整自在に支持している角度調整板とが同じ動きをし、角度調整板に取り付けられ本体ケース部への電線を束ねる電線固定手段の中空部と回転軸取付板の中空回転軸の中心軸が常に同じになることで、回転軸取付板の中空回転軸の内部を通る電線に大きな曲げが繰り返し加わって疲労破断を引き起たり電線の被覆が摩耗して破れてショートしたり、また電線がまわりの部品に接触して、次第に電源供給電線の被覆が損傷してショートしたりすることを防止できるものである。
【００１１】
又本発明の請求項３に記載の電気ストーブによれば、請求項２の電気ストーブに於いて、前記電線固定手段は、一端に角度調整板の電線固定手段取付孔に差し込んで角度調整板に取り付けるための差し込み部を形成し、略中央に上下に分かれて中空部を形成し電線を束ねる固定部を設け、他端にねじることで固定部を開放したり閉鎖したりするねじり部からなるので、本体ケース部が回転しても中空回転軸の向きは変わらないので電線固定手段の電線を束ねる中空部との中心軸は同じであり、叉本体ケース部の仰角を変えても本体ケース部の仰角の変化に連動して角度調整板の電線固定手段取付側角度調整部も動き、それにより本体ケース部の仰角に関わらず常に電線固定手段の電線を束ねる中空部と中空回転軸の中心軸が同じになり、それにより本体ケース部の首振り運転や本体ケース部の縦横回転、仰角調整により本体ケース部が可動しても、本体ケース部が取り付けられている回転軸取付板とその回転軸取付板を回転及び仰角調整自在に支持している角度調整板とが同じ動きをし、角度調整板に取り付けられ本体ケース部への電線を束ねる電線固定手段の中空部と回転軸取付板の中空回転軸の中心軸が常に同じになることで、回転軸取付板の中空回転軸の内部を通る電線に大きな曲げが繰り返し加わって疲労破断を引き起たり電線の被覆が摩耗して破れてショートしたり、また電線がまわりの部品に接触して、次第に電源供給電線の被覆が損傷してショートしたりすることを防止できるものである。
【００１２】
また、電線固定手段は差し込み部を角度調整板の電線固定手段取付孔に抜き差しすることで容易に電線固定手段の取り付け、取り外しができ、また電線もねじり部をねじることで容易に電線を束ねたり外したりできるので、組み立て時や修理の時、作業が簡単で、大変作業性をよくすることができるものである。
【発明を実施するための最良の形態】
【００１３】
次に、本発明に係る発明の一実施形態を図面に基づいて説明する。
１は電気ストーブで、２本のヒータ２を備えた本体ケース部３と支持部４とからなり、前記支持部４は本体ケース部３を回転自在に支持すると共に本体ケース部３の首振りを行う首振り機構部５と、該首振り機構部５を覆うカバー部６と、前記首振り機構部５と該首振り機構部５を支持する支柱７の一端とが固定される支柱固定部８と、前記支柱７の他端が固定されて支柱７を支持するベース部９から構成されている。
【００１４】
前記本体ケース部３は、正面下部に暖房能力を表示する表示部１０を設けると共に、上面には操作部１１を設け、該操作部１１は暖房運転のオンオフ及び暖房能力を設定する回転式の運転つまみ１２と、暖房能力をある幅で高低させるゆらぎ運転スイッチ１３と、３０分から１〜３時間まで運転時間を設定できる切りタイマースイッチ１４と、本体ケース部３を首振り動作させる首振りスイッチ１５を有するものである。
【００１５】
叉前記首振り機構部５は、本体ケース部３を回転自在に支持する回転軸ユニット１６と、首振りさせるための駆動用モータ１７と、首振り軸１８を有し前記回転軸ユニット１６と駆動用モータ１７が固定されるモータ取り付け台１９と、前記駆動用モータ１７の回転を首振りの往復動作に変換するリンク２０とを有するものである。
【００１６】
叉前記支柱固定部８は、前記モータ取り付け台１９を載置するモータ取付板カバー２１と、該モータ取付板カバー２１を載置する支柱固定板カバー２２と、該支柱固定板カバー２２を載置すると共に支柱７の上端が差し込まれて固定される支柱固定板２３とからなるものである。
【００１７】
前記支柱固定板カバー２２は断面略逆凹形状の円筒状で、上面２４にはその中心にモータ取り付け台１９の首振り軸１８が差し込まれる中空円筒状の軸受け部２５が立設され、また電源コード２６を保持するコード保持部２７が立設されているものである。
【００１８】
前記回転軸ユニット１６は、本体ケース部３にネジにて固定されると共に本体ケース部３が縦横回転する時の中空回転軸２８が取付けられた回転軸取付板２９と、断面コの字状で正面部３０に前記中空回転軸２８が貫通する回転軸用孔３１が形成されると共に前記正面部３０の一端側に略扇状の角度調整部３２を形成し、多端側に電線固定手段３３を固定する電線固定手段取付孔３４を有し前記角度調整部３２よりも長い略扇状の電線固定手段取付側角度調整部３５を形成した角度調整板３６と、断面コの字状で前記中空回転軸２８が貫通する回転軸用孔部３７が形成され、前記角度調整板３６を仰角用軸３８を介して角度調整自在に支持すると共にモータ取り付け台１９に固定される角度調整板支え３９とを備えたものである。
【００１９】
前記回転軸取付板２９の中空回転軸２８はその先端部分外周がねじ切り加工されており、角度調整板３６の回転軸用孔３１を貫通させた状態でその先端部分に角度調整板３６を回転軸取付板２９に押し付けるための回転軸取付板押付バネ４０を嵌め込み、更にワッシャー４１、４２を嵌め込み、そして中空回転軸２８の先端外周のねじ切り部分に回転軸取付板用ナット４３を係合させて、回転軸取付板２９が角度調整板３６に取り付けられているものである。
【００２０】
また前記角度調整板支え３９は、回転軸用孔部３７が形成された正面板４４の両端が略直角に折り曲げられて角度調整板支持部４５が形成されることにより断面コの字状となっており、前記正面板４４と角度調整板支持部４５との折り曲げ部分に角度調整板３６の角度調整部３２と電線固定手段取付側角度調整部３５が貫通する角度調整部貫通孔４６、４７が形成され、叉角度調整板支持部４５の上部に仰角用軸３８を受ける仰角用軸溝４８が形成されている。
【００２１】
また前記角度調整板３６の角度調整部３２と電線固定手段取付側角度調整部３５には、角度調整板３６の仰角がいくつかの角度で保持されるためのボール用孔４９が複数形成され、更に角度調整板３６の仰角をいくつかの角度で保持するためにボール用バネ５０により附勢されているボール５１を収納するボール保持部５２を角度調整板支え３９に取り付けるボール保持部取付ネジ５３が貫通する長孔状のボール保持部用孔５４が形成されている。
【００２２】
前記回転軸取付板２９が取り付けられた角度調整板３６は、角度調整部３２と電線固定手段取付側角度調整部３５を角度調整板支え３９の角度調整部貫通孔４６、４７に貫通させ、内側の左右にボール５１がボール用孔４９にはまるようにボール保持部５２を位置させた状態で、ひとつのボール保持部取付ネジ５３を角度調整板支持部４５の上部ネジ挿入孔５５から差し込んで中空状のスぺーサー５６を介してボール保持部用孔５４を貫通して、ボール保持部５２のねじ切り溝５７に係合し、もうひとつのボール保持部取付ネジ５３が角度調整板支持部４５の下部ネジ挿入孔５８から差し込んで中空状のスぺーサー５６を介して直接ボール保持部５２のねじ切り溝５７に係合することで、角度調整板支え３９に取り付けられいる。
【００２３】
また前記仰角用軸３８は一端が鍔状に形成されており、他端の先端を一方の仰角用軸溝４８から角度調整部３２及び電線固定手段取付側角度調整部３５の上部に形成された仰角用軸用孔５９の一方を貫通し、更に他方の仰角用軸用孔５９を通って他方の仰角用軸溝４８にその先端が突出し、その突出した先端に軸用プッシュナット６０を取り付けることにより組み込まれるものである。
【００２４】
前記仰角用軸３８は、角度調整部３２と電線固定手段取付側角度調整部３５との間の部分で中空状のバネ用スリーブ６１を貫通し、更に該バネ用スリーブ６１は仰角保持用コイルバネ６２を貫通し、該仰角保持用コイルバネ６２の一端は角度調整板３６の正面部３０に当接し、他端が角度調整板支え３９の正面板４４に当接しているものである。
【００２５】
次に本体ケース部３の縦横回転動作について説明する。
本体ケース部３は図１のように縦長の状態とこれが約９０度回転した横長の状態とにすることができ、この縦長の状態と横長の状態状態の時は、回転軸取付板２９の中空回転軸２８の周りに９０度の角度で四カ所に設けられた凹部６３に、角度調整板３６の回転軸用孔３１の周りに９０度の角度で四カ所に設けられた凸部６４が係合してその状態を維持している。
【００２６】
ここで例えば図１のように縦長の状態から使用者が本体ケース部３を横長の状態にしようと本体ケース部３を回転させると、回転軸取付板２９の凹部６３に係合していた角度調整板３６の凸部６４が凹部６３から外れて回転軸取付板押付バネ４０が縮んだ状態で本体ケース部３が回転し、約０度回転回転すると再び回転軸取付板２９の凹部６３に角度調整板３６の凸部６４が係合して回転軸取付板押付バネ４０が伸びて角度調整板３６を回転軸取付板２９に押し付けた状態で維持されるものである。
【００２７】
次に本体ケース部３の仰角調整動作について説明する。
本体ケース部３が図１のような垂直状態から使用者が上向きに仰角調整しようとして本体ケース部３を動かすと、角度調整板支持部４５の上部ネジ挿入孔５５から差し込んで中空状のスぺーサー５６を介してボール保持部用孔５４を貫通して、ボール保持部５２のねじ切り溝５７に係合しているボール保持部取付ネジ５３が長孔状のボール保持部用孔５４を移動すると共に、ボール保持部５２のボール５１が今係合している角度調整板３６のボール用孔４９から次のがボール用孔４９と係合することで仰角用軸３８を回転軸として角度調整板３６の角度が変わることで本体ケース部３の仰角が変わった状態を保持するものである。
【００２８】
ここで本体ケース部３の本体側電線６５は本体ケース部３内から回転軸取付板２９の中空回転軸２８内を通って露出し、コード保持部２７から露出する電源コード２６と閉端接続子６６によりカシメで接続されており、叉角度調整板３６の上部に固定される制御部６７と本体ケース部３のヒータ２や表示部１０や操作部１１と接続している制御用電線６８も回転軸取付板２９の中空回転軸２８内を通って本体ケース部３内につながっている。
【００２９】
この中空回転軸２８内を通って露出している本体側電線６５や、制御部６７から回転軸取付板２９の中空回転軸２８内を通って本体ケース部３内につながっている制御用電線６８を束ねるための電線固定手段３３は、一端に角度調整板３６の電線固定手段取付孔３４に差し込んで角度調整板３６に取り付けるための差し込み部６９を形成し、略中央に上下に分かれて中空部７０を形成し本体側電線６５や制御用電線６８を束ねる固定部７１を設け、他端にねじることで固定部７１を開放したり閉鎖したりするねじり部７２からなり、差し込み部６９を電線固定手段取付孔３４に差し込むと中空部７０と中空回転軸２８の中心軸が同じになるものである。
【００３０】
そしてこの電線固定手段３３で本体側電線６５や制御用電線６８を束ねた状態で本体ケース部３の縦横回転動作を行っても、本体側電線６５や制御用電線６８が左右に振られることなく確実に本体側電線６５や制御用電線６８を固定でき、叉本体ケース部３の仰角調整動作を行っても、本体ケース部３と一緒に動いて中空回転軸２８と同じ動きをする角度調整板３６の電線固定手段取付側角度調整部３５に電線固定手段３３が取り付けられていることで、中空回転軸２８に対して電線固定手段３３の中空部７０が常に正対する位置となるので、本体側電線６５や制御用電線６８が中空回転軸２８や他の部品のエッジ部分に触れることがなく、また本体側電線６５や制御用電線６８に大きな曲げが加わることもないので、本体側電線６５や制御用電線６８の被覆が破れてショートしたり、本体側電線６５や制御用電線６８に大きな曲げが加わって電線の疲労破断が発生することを防止できるものである。
【００３１】
また本体ケース部３の首振り運転においても、本体ケース部３と一緒に動いて中空回転軸２８と同じ動きをする角度調整板３６の電線固定手段取付側角度調整部３５に電線固定手段３３が取り付けられていることで、中空回転軸２８に対して電線固定手段３３の中空部７０が常に正対する位置となるので、本体側電線６５や制御用電線６８が中空回転軸２８や他の部品のエッジ部分に触れることがなく、また本体側電線６５や制御用電線６８に大きな曲げが加わることもないので、本体側電線６５や制御用電線６８の被覆が破れてショートしたり、本体側電線６５や制御用電線６８に大きな曲げが加わって電線の疲労破断が発生することを防止できるものである。
【図面の簡単な説明】
【００３２】
【図１】この発明の一実施例を付した電気ストーブを示す斜視図。
【図２】同側面図。
【図３】同カバー部を取り外した状態の側面図。
【図４】同支持部の部品構成図。
【図５】同回転ユニットの部品構成図。
【図６】同斜視図。
【図７】同電線固定手段を取り付けた状態の斜視図。
【符号の説明】
【００３３】
１  電気ストーブ
２  ヒータ
３  本体ケース部
４  支持部
１６  回転軸ユニット
２８  中空回転軸
２９  回転軸取付板
３３  電線固定手段
３６  角度調整板
３８  仰角用軸
３９  角度調整板支え  
【図１】
2010071623.tif 000003
【図２】
2010071623.tif 000004
【図３】
2010071623.tif 000005
【図４】
2010071623.tif 000006
【図５】
2010071623.tif 000007
【図６】
2010071623.tif 000008
【図７】
2010071623.tif 000009